(57)【要約】      （修正有）【課題】洋服感覚で着用することのできる着物を提供する。【解決手段】女性用の着物であって、おはしょり１４の上部を身頃に予め縫い付けた状態で、下前の棲１６ａを上前の棲１６ｂよりも裾上げしておいた本体１と、補正下着２と、帯３とを備えた。【選択図】図１
0003177317.tif 000002
【実用新案登録請求の範囲】
【請求項１】
女性用の着物であって、
おはしょりの上部を身頃に予め縫い付けた状態で、下前の棲を上前の棲よりも裾上げしておいた本体を備えたことを特徴とする着物。
【請求項２】
前記本体は、身頃上下の身幅の余り部分を除去したものであることを特徴とする請求項１記載の着物。
【請求項３】
前記本体を着用する女性の体型を筒状に補正するように、胸部の窪みと、後ろ腰周りと、前腰周りとの少なくとも一部にパッドを入れておいた上部補正下着を備えたことを特徴とする請求項１又は２記載の着物。
【請求項４】
前記上部補正下着との組み合わせで着用可能な、ズボン型の下部補正下着を備えたことを特徴とする請求項３記載の着物。
【請求項５】
少なくとも前記本体を着用する女性の背中のお太鼓部と、前部中央とを比較的厚く或いは比較的硬く形成しておくとともに、残部を比較的薄く或いは比較的軟く形成しておいた帯を備えたことを特徴とする請求項１〜４のいずれか１項に記載の着物。
【請求項６】
前記帯の前部を予め二重に縫い付けておいたことを特徴とする請求項５記載の着物。
【考案の詳細な説明】
【技術分野】
【０００１】
本考案は、着物に関するものであって、詳しくは、おはしょりのある女性用の着物に係るものである。
【背景技術】
【０００２】
最近の百貨店の呉服売り場や町の呉服店をみると、目を覆うばかりの売り上げ不振ぶりである。その理由として、（１）和服（以下、着物という。）が高価であること、（２）着物のデザインが現代の若者に受け入れられないこと、（３）着付け教室で習わなければ着物を一人で着ることができないこと、があげられる。
【０００３】
このうち、（３）は特に深刻である。すなわち、着物は、女性の身幅よりもかなり幅広でかつ着丈よりもかなり長尺に作られており、洋服と異なりフィットさせずに平面的に縫製されている。また、着物を着用したときの見栄えをよくするために、その着物の下に、肌襦袢、裾よけ、長襦袢をつけ、さらに体型の補正のために、腰部に晒しを巻き、胸部、後腰にタオルなどで円筒形になるように何重にも手をかけなくてはならない。
【０００４】
その上で着物を着るのであるが、着物はほとんどが絹地であり、全体がかなり重くなっている。それを、鏡を見ながら下前、上前の裾線を決め、さらに、身八ツ口から両手を入れて、おはしょりを形よく折らなければならない。このことは、着物を日常的に着慣れていない現代の女性にとっては非常に面倒である。
【０００５】
そこで、簡易な着物が種々考案された。例えば特許文献１では、上前身頃の共衿となる１側面と前記上前身頃のおくみから延びる１辺とで鋭角を成すよう前記共衿の先端に衿先を形成し、該衿先の裏面に一方の面ファスナーを固定し、下前身頃の共衿から前記上前身頃の前巾の３／４程度を残す部位までを連続的に縫着してお端折りを形成し、右後身頃に位置する前記お端折りの内側には他方の面ファスナーを固定し、前記共衿の衿肩から約１尺４寸〜１尺５寸程度下がった位置の衿幅を所定の幅に折り込み、内側に折り込まれた共衿に紐の一端を縫着し、該紐を案内する案内部を背縫い上の衿付から約５寸５部程下がった位置に形成した着物が開示されている。
【０００６】
また、特許文献２では、おはしょりが作りつけになっている着物であって、おはしょりの裾と左衿先とが直線的に仕立てられ、左衿先の先端が左衿下から突出し、かつ、左衿付けの縫い止りが、おはしょりの裾の左衽側に入り込んでいるものが開示されている。
【０００７】
また、特許文献３では、あらかじめ形成されたおはしょりを有し、前身頃を打ち合わせた左右の両脇部分に留め具を有する着物が開示されている。
【０００８】
また、特許文献４では、身八ツ口の下端近傍を通る位置におはし折りが設けられた着物であって、前記おはし折りは、内側の折り返しが少なくとも横方向に縫止され、着用者の背丈と着物の着丈の差異に応じ、当該着用者の身体の曲線に合わせて設けられてなるものが開示されている。
【考案の概要】
【考案が解決しようとする課題】
【０００９】
上記特許文献１〜４では、着物のおはしょりの上部を身頃に予め縫い付けているが、その着物を着用した人の体型によっては、下前、上前の裾線を合わせにくくなってしまう。しかし、従来のように着物の下前、上前の裾線を合わせてから、おはしょりを折ったのでは、その形を整えにくい。したがって、いずれの場合も手間をかけないと、きちんとした着付けができず、いかにもだらしない感じがすることがある。これでは、着物を洋服感覚で着用することは困難である。
【００１０】
本考案は、このような事情に鑑みてなされたもので、洋服感覚で着用することのできる着物を提供することを目的とする。
【課題を解決するための手段】
【００１１】
本考案は、女性用の着物であって、おはしょりの上部を身頃に予め縫い付けた状態で、下前の棲を上前の棲よりも裾上げしておいた本体を備えたことを特徴とするものである。
【００１２】
本考案によれば、おはしょりの上部を身頃に予め縫い付けた状態で、下前の棲を上前の棲よりも裾上げしておいた本体を備えたので、着物のおはしょりの上部を身頃に予め縫い付けただけの場合のように、その着物を着用した人の体型によっては、下前、上前の裾線を合わせにくくなってしまうということがない。また、着物の下前、上前の裾線を合わせてから、おはしょりを折った場合のように、その形を整えにくいということもない。したがって、本考案によれば、手間をかけずに、きちんとした着付けができるようになる結果、洋服感覚で着用できる着物を得ることができた。
【００１３】
また、前記本体は、身頃上下の身幅の余り部分を除去したものであることが好ましい。
【００１４】
この場合、前記本体は、身頃上下の身幅の余り部分を除去したものであるので、さらにきちんとした着付けができるようになった。
【００１５】
ところで、着物をなかなか思い通りに着用できなかったのは、女性の体型の凹凸によるところが多い。そこで、前記本体を着用する女性の体型を筒状に補正するように、胸部の窪みと、後ろ腰周りと、前腰周りとの少なくとも一部にパッドを入れておいた上部補正下着を備えることが好ましい。
【００１６】
この場合、前記本体を着用する女性の体型を筒状に補正するように、胸部の窪みと、後ろ腰周りと、前腰周りとの少なくとも一部にパッドを入れておいた上部補正下着を備えたので、女性の体型の凹凸を補正して、着物を容易に着用できるようになる。
【００１７】
また、前記上部補正下着との組み合わせで着用可能な、ズボン型の下部補正下着を備えることが好ましい。
【００１８】
この場合、前記上部補正下着との組み合わせで着用可能な、ズボン型の下部補正下着を備えたので、着物をさらに容易に着用できるようになる。
【００１９】
実は、着物の着付けにおいて、最も難しいとされるのは、帯結びである。帯の材質は、ほとんど絹であり、ポリエステル、麻、綿もあるが、いずれも重くて硬いことである。したがって、装着すると、窮屈この上ないものである。その結び方もいろいろ改良され、考案されてはいるものの、重さと硬さゆえに、着物の着用が敬遠されることは否めない。そこで、少なくとも前記本体を着用する女性の背中のお太鼓部と、前部中央とを比較的厚く或いは比較的硬く形成しておくとともに、残部を比較的薄く或いは比較的軟く形成しておいた帯を備えることが好ましい。
【００２０】
この場合、少なくとも前記本体を着用する女性の背中のお太鼓部と、前部中央とを比較的厚く或いは比較的硬く形成しておくとともに、残部を比較的薄く或いは比較的軟く形成しておいた帯を備えたので、帯は格段に軽く、かつ結びやすくなり、着物をさらに容易に着用できるようになる。なお、洋服の芯地のバリエーションはものすごく豊かであり、かかる洋服の芯地を活用することにより、帯の各部における厚みなどを簡単に変えることができる。
【００２１】
また、着物の着付けにおいては、帯を二重に巻きつけるが、その手間が大変である。さらに、その二重に巻きつけた前部がずり落ちてくることがある。そこで、前記帯の前部を予め二重に縫い付けておくことが好ましい。
【００２２】
この場合、前記帯の前部を予め二重に縫い付けておくので、帯結びが非常に楽になり、帯の前部がずり落ちてくることもなくなる。これにより、着物をさらに容易に着用できるようになる。
【考案の効果】
【００２３】
本考案によれば、おはしょりの上部を身頃に予め縫い付けた状態で、下前の棲を上前の棲よりも裾上げしておいた本体を備えたので、着物のおはしょりの上部を身頃に予め縫い付けただけの場合のように、その着物を着用した人の体型によっては、下前、上前の裾線を合わせにくくなってしまうということがない。また、着物の下前、上前の裾線を合わせてから、おはしょりを折った場合のように、その形を整えにくいということもない。したがって、本考案によれば、手間をかけずに、きちんとした着付けができるようになる結果、洋服感覚で着用できる着物を得ることができた。
【図面の簡単な説明】
【００２４】
【図１】本考案の一実施形態に係る着物の全体構成を示す斜視図である。
【図２】本着物の本体の説明図である。
【図３】本着物の補正下着の全体構成を示す斜視図である。
【図４】上部補正下着の説明図である。
【図５】下部補正下着の説明図である。
【図６】本着物の帯の説明図である。
【考案を実施するための形態】
【００２５】
図１は本考案の一実施形態に係る着物の全体構成を示す斜視図、図２はその本体１を展開した状態の背面図である。本考案の一実施形態に係る着物は、図１に示すように、女性用の着物であって、本体１と、補正下着２と帯３とを備えている。このうちの本体１は、図２に示すように、後ろ衿１１と、袖１２と、畳んだおはしょり上部１３と、おはしょりの表側１４と、衿先１５と、下前の褄１６ａと、上前の褄１６ｂと、後ろ身頃１７と、前身頃１８と、おくみ１９とからなっている。
【００２６】
ここで、後ろ衿１１から衿先１５までを衿といって、首の周りと胸部の位置にある部分に縫い付けた、細長い布の部分である。袖１２は、左右の腕を通す部分である。おはしょり１３，１４は、着丈より長くて余った布を腰の辺りでたくし上げる部分をいうが、その畳んだおはしょり上部１３の裏側は身頃縫い代に予め縫い付けている。
【００２７】
身頃は、左右の前身頃１８と、後ろ身頃１７とをまとめて呼ぶものであり、その裁断方法により、右の身頃と左の身頃の2つの布で身頃が構成される。つまり、左の前身頃の肩と、左の後身頃の肩とは、縫わなくても繋がっている。右も同様である。
【００２８】
前身頃１８は、袖１２を除いた部分の、空間的に前の部分であって、背中の反対側を覆う部分である。この前身頃は、右の前身頃と、左の前身頃とに分かれている。後ろ身頃１７は、袖１２を除いた部分の、後ろの背中を覆う部分であって、この基本的に背中心で縫い合わせるので、右の後身頃と、左の後身頃の2つの布で構成されている。 
【００２９】
おくみ１９は、袖１２を除いた部分の前の左の端と右の端にあり、上は衿まで、下は着物の最下部まで続く、上下に細長い布の部分であって、前身頃に縫い付けてある。 
【００３０】
上前１６ｂは、 袖１２を除いた部分の前の左(向かって右)にある。この上前は、左の前身頃、左のおくみ１９、そして左の衿の一部を示すものである。本体１を着るときに右前に着るので、左のおくみの方が右のおくみよりも空間的に前に位置することになる。本体１を着た人から見て肌から遠い方を「上」と呼ぶ。そのため、左のおくみと、左の前身頃などを上前と呼んでいる。 
【００３１】
下前１６ａは、袖１２を除いた部分の前の右(向かって左)にある。この下前は、右の前身頃、右のおくみ、そして右の衿の一部を示すものである。着物を着るときに右前に着るので、右のおくみのほうが左のおくみよりも空間的に後ろに位置することになる。着物を着た人から見て外気に触れる服の表面から遠い方を「下」と呼ぶ。そのため、右のおくみと、右の前身頃などを下前と呼んでいる。
【００３２】
そして、おはしょり上部１３を身頃縫い代に予め縫い付けた状態で、下前１６ａの棲の裾線を１５〜７ｃｍ上げるとともに、上前１６ｂの棲の裾線を５〜７ｃｍ上げることにより、下前１６ａの棲を上前１６ｂの棲よりも裾上げ処理をする。
【００３３】
このようにして、おはしょりと、棲の処理とをした本体１をできあがり通りに仮縫いをしてから、前身頃上下の身幅の余り部分１９ａを除去する。後身頃上下の身幅の余り部分（図示せず。）についても除去する。このとき、上身頃は着物本体の自然できれいに見えるゆとりは残しておく。また、下は裾広がりにならないようにやはり余り部分１９ｂを除去する。
【００３４】
ところで、着物をなかなか思い通りに着用できなかったのは、女性の体型の凹凸によるところが多い。そこで、着用する女性の体型を略円筒型に補正するように、胸部の窪みと、後ろ腰周りと、前腰周りとの少なくとも一部にパッドを入れておいた補正下着を考案した。図３は本着物の補正下着２の全体構成を示す斜視図、図４はその上部補正下着２０ａを展開した状態であって、（ａ）は正面図、（ｂ）は背面図とである。図５はその下部補正下着２０ｂの正面図である。
【００３５】
この補正下着２は、図３，図４，図５に示すように、上身頃２１と、キルティング２１ａと、半衿２２と、力布２２ａと、キルティング２３と、衿２４と、衿芯入れ口２５と、腰紐２６と、袖２７とからなる上部補正下着２０ａと、ズボン２８からなる下部補正下着２０ｂとを備えている。
【００３６】
ここで、上身頃２１は、胸部の窪み及び前腰周りに化繊綿を詰めることにより、キルティング２１ａとするとともに、後ろ腰周りにも化繊綿を詰めることにより、キルティング２３としている。その後、上身頃２１と同系色のガーゼ様薄手の布で綿花が見えないようにきれいに包み込んでいる。
【００３７】
また、衿２４の上に、着物を着用するときに半衿２２をつけ、衿芯入れ口２５から、市販の衿芯を入れるようになっている。腰紐２６は、上身頃２１の背面で木綿布の力布２２ａにＴ字型に止められている。この力布２２ａは、衣紋をきれいに抜くための補助布であって、前記衿２４に挟み込んでいる。袖２７は、ほぼ筒袖としている。ズボン２８は、シンプルで、ゆったりとしたものとしている。
【００３８】
図６は本着物の帯３の説明図である。実は、着物の着付けにおいて、最も難しいとされるのは、帯結びである。帯３の材質は、ほとんど絹であり、ポリエステル、麻、綿もあるが、いずれも重くて硬いことである。したがって、装着すると、窮屈この上ないものである。その結び方もいろいろ改良され、考案されてはいるものの、重さと硬さゆえに、着物の着用が敬遠されることは否めない。そこで、以下のような帯３を考案した。
【００３９】
図６に示すように、帯３は、前部３１と、前の結び部３２と、後ろの結び部３３と、お太鼓部３４とからなっているが、いわゆる「テ」と「タレ」とが決まっていて、帯結びをするときにその向きが大切になっている。前の結び目に近い方が「テ」で、帯結びなどの垂れ下がる方が「タレ」である。ここでは、着物の本体１と同質で色違いの木綿を使用し、前部３１と、お太鼓部３４と、テ先３５と、タレ先３６とに、硬質の芯地を使用し、他は薄手の芯地を使用した。このため、帯３は格段に軽く、かつ結びやすくなった。なお、洋服の芯地のバリエーションはものすごく豊かであり、かかる洋服の芯地を活用することにより、帯の各部における厚みや硬さなどを簡単に変えることができる。
【００４０】
また、着物の着付けにおいては、帯３を二重に巻きつけるが、その手間が大変である。さらに、その二重に巻きつけた前部３１がずり落ちてくることがある。そこで、帯３の前部３１に軽い芯地を使用するとともに、この前部３１を予め二重に縫い付けておくことにより、帯結びが非常に楽になり、帯の前部がずり落ちてくることもなくなる。
【００４１】
以下、本着物の着付けについて説明する。
【００４２】
まず、補正下着２を着用する。このうち、上部補正下着は、肌襦袢、裾よけ、長襦袢の３種類の下着を一枚にしたものであるが、着用する女性の体型の凹凸を１本の筒状に補正するので、着物の本体１を着用しやすくなる。また、下部補正下着のズボン２８とあいまって、着物の本体１を着用したときに歩行しやすくなる。ここでは、補正下着２を着用することにより、肌襦袢、裾よけ、長襦袢を着て、さらに、腰、胸、後ろ腰の窪みにタオルや晒布などで筒状に体型を補正するわずらわしさから開放される。
【００４３】
そして、足袋を履いた後すぐに着物の本体１を着用する。ここでは、補正下着２を着用することにより、１本の筒状となった体型の人体に着る着物の本体１は、緩みを気にすることなく、おはしょりをきれいな形に畳んで、裏身頃４箇所（背中央、脇、おくみ位置、衿付け位置）に予め縫いとめている。その状態で、裾線の上前下前の裾を上げて縫い付けて、最後に裏地を綴じ付けて仕上げているので、そのままワンピースのように着ることができる。
【００４４】
すなわち、着物の本体１そのものがもたもたとして重く、わずらわしい原因になっていた、おはしょりも身頃に縫い付けているので、抜群に着やすくなった。また、上前、下前の裾線も製図、裁断、縫製されているので着て、腰紐を結び、伊達締めに帯３を結ぶだけで着物を着ることができる。
【００４５】
さらに、この帯３は格段に軽く、しかも前部３１を予め二重に縫い付けているので、帯結びが非常に楽になり、帯の前部がずり落ちてくることもなくなる。これにより、着物をさらに着やすくなった。
【００４６】
着物を脱ぐときには、上記と逆手順となる。
【００４７】
以上説明したように、本着物では、おはしょり１４の上部を身頃に予め縫い付けた状態で、下前の棲１６ａを上前の棲１６ｂよりも裾上げしておいた本体１を備えたので、着物のおはしょりの上部を身頃に予め縫い付けただけの場合のように、その着物を着用した人の体型によっては、下前、上前の裾線を合わせにくくなってしまうということがない。また、着物の下前、上前の裾線を合わせてから、おはしょりを折った場合のように、その形を整えにくいということもない。したがって、本考案によれば、手間をかけずに、きちんとした着付けができるようになった。
【００４８】
また、従来の着物に比べて、軽量でかつ着丈が短くなっているので、ハンガーにかけて洋服ダンスで管理することができる。したがって、従来のように、たとう紙から出して虫干しするなどの季節ごとの管理が飛躍的に容易なものとなり、着たいときにすぐに着られるといった洋服と同じ機能性を持つことができる。その結果、洋服感覚で着用できる着物を得ることができた。
【００４９】
なお、上記実施形態に係る着物は、着物に対する潜在的な欲求は老若を問わず、非常に高い。欧米他、諸外国の女性にも非常に関心が持たれているものの、下記に示すようなネックがあり、現在は衰退の一方である。
【００５０】
すなわち、高価である。絹と綿・麻しかない耳朶、手縫いしか縫製の手段がなかった時代から豊富で優れたデザインの化繊・ウールそして、ミシンという優れた縫製機械ができ手いる現在、それらをもっと活用するべきである。呉服商の一生ものという言葉で高価な着物を買って悔やむ人を多く見る。社会で働く女性の多い現在、同じ着物を何回も着ることができず、結局は非常に高い買い物になる。このことに本着物は対抗できる。
【００５１】
また、着るという、基本的な作業が困難で複雑であるため、着物を着る機会を遠ざけているということが、本着物を考案した動機である。
【００５２】
海外の人にも、着物は好評であるが、欧米人のように体型の凹凸が顕著な場合、映画でも見られるように、目も当てられない下品な姿になることがありうるが、本着物では、洋服のように着れば、きちんと着ることができるので、輸出の道が開かれる。海外挙式などでも、海外で着物が簡便に着ることができるので、利用範囲が広がる。国内で縫製すると、雇用の創出にもなる。
【符号の説明】
【００５３】
１  着物の本体（本体に相当する。）
１１  後ろ衿
１２  袖
１３  畳んだおはしょり上部
１４  おはしょりの表側
１５  衿先
１６ａ  下前の褄
１６ｂ  上前の褄
１７  後ろ身頃
１８  前身頃
１９  おくみ
１９ａ，１９ｂ  余り部分
２  補正下着
２０ａ  上部補正下着
２０ｂ  下部補正下着
２１  上身頃
２１ａ  キルティング（パッドに相当する。）
２２  半衿
２２ａ  力布
２３  キルティング（パッドに相当する。）
２４  衿
２５  衿芯入れ口
２６  腰紐
２７  袖
２８  ズボン
３  帯
３１  前部
３２  前の結び部
３３  後ろの結び部
３４  お太鼓部
３５  テ先
３６  タレ先
【先行技術文献】
【特許文献】
【００５４】
【特許文献１】実開平６−６９２０９号公報
【特許文献２】実開平７−２４１１号公報
【特許文献３】特開２００３−１９３３０５号公報
【特許文献４】登録実用新案第３１６３６６４号公報
【図１】
0003177317.tif 000003
【図２】
0003177317.tif 000004
【図３】
0003177317.tif 000005
【図４】
0003177317.tif 000006
【図５】
0003177317.tif 000007
【図６】
0003177317.tif 000008